(57)【要約】【課題】土木、建築業界における、鉄筋工事、型枠工事に用いる鉄筋組体Ａ及び使い捨て型枠５を工場で安価に大量生産したものを提供することで現場作業を軽減する。【解決手段】使い捨て型枠を相互に強固に連結固定する取り付け金具を設けた鉄筋組体Ａと取り付け金具を備えた使い捨て型枠５とを、工場で生産し、安価に提供することで現場工事の省力化、コスト削減、工期の短縮、高精度の施工等を提供する。【選択図】図１
2004332500.tif 000002
【特許請求の範囲】
【請求項１】
成形されるコンクリート構築体の厚さと大きさに見合う強度に基づいて配筋した、両端をカギ状とした支持金具３をあらかじめ任意の間隔に固定した鉄筋組体Ａを所定の間隔に配設し、横方向の鉄筋７を配筋、固定し所定の位置に配設したのち、前記支持金具３に対設するようにフック等の取付け金具６を備えた使い捨て型枠パネル５を支持金具３に取り付けて強固に一体化させたことを特徴としたコンクリート構築体の鉄筋組体Ａ及び便い捨て型枠パネル５及びその組立方法。
【請求項２】
成形されるコンクリート構築体の厚さと大きさに見合う強度に基いて配筋した再使用型の型枠１１の支持金具４を、予め任意の間隔に固定した鉄筋組体Ｂを現場において所定の間隔に配設し、横方向の鉄筋を配筋、固定し前記型枠の取付け金具４に再使用型の型枠パネル１１を取付け固定して強固に一体化させたことを特徴としたコンクリート構築体の鉄筋組体。
【請求項３】
成形されるコンクリート構築体の厚さと大きさに見合う強度に基いて配筋した鉄筋組体Ｃを任意の間隔に配設し横方向の鉄筋７を配筋固定したものを所定の位置に配設した後、予め別途成形した前記横方向に配設した鉄筋に対設させたカギ状の取り付け金具１０を備えた使い捨てパネル５を前記横方向に配筋した鉄筋７に取り付け、固定して強固に一体化させたことを特徴としたコンクリート構築体の鉄金組体Ｃ及び使い捨て型枠パネル５及びその組立方法。
【発明の詳細な説明】
【０００１】
【産業上の利用分野】本発明は、土木、建築業界において用いるコンクリート構築体の鉄筋組体及び使い捨て型枠及びその組立方法に関する。
【０００２】
【従来の技術】従来コンクリート構築体、例えば建造物のコンクリート壁体等は、現場において所定の暑さ、大きさに見合うに、鉄金を切断、或は曲げ加工したものを配筋して、型枠を取り付けるためのセパレーター、スペーサーを取り付けてから表側と裏側の型枠パネルを相互に連結支持させるように取り付け、更に生コンクリートを打設した際の圧力で型枠が崩壊しない為の補強材等を取り付ける作業を行うのが一般的である。
【０００３】前記した従来の工法は現場において鉄筋を１本づつ加工組立し、型枠パネルの固定金具も１本づつ取り付けてから、型枠パネルを取り付け、更にその補強材を１本づつ取り付けていたため現場作業に多くの労力と時間を要していた。また、木製コンクリートパネル等の大量使用により、熱帯雨林の大量伐採等や産業廃棄物等の増加による地球環境の悪化の要因にもなっていた。
【０００４】また、現場の鉄筋工、型枠工等の熟練技術者の不足により、コストアップの要因となっていた等の様々な問題点を有するものであった。
【０００５】
【発明が解決しようとする課題】
本発明は、前記した問題点を解決するためになされたもので、成形されるコンクリート構築体の形状と見合う大きさと強度に基づいて配筋した鉄筋組体に両端をカギ状等とした取り付け支持金具を予め取り付けておき、別途製作しておいたフック等の取り付け金具部を備えた使い捨てパネルを、前記、鉄筋組体の取り付け支持金具に取り付け固定することにより、現場における鉄筋コンクリートの、鉄筋工事作業と型枠工事作業の省力化工法を提供することを目的としている。
【０００６】
【課題を解決するための手段】
前記した目的を解決するための本発明の手段は、成形されるコンクリート構築体の形状に見合う大きさと強度に基づいて配筋した鉄筋組体に、再端をカギ状とした使い捨て型枠パネル取り付け支持金具を予め取り付けた鉄筋組体を、所定の間隔に配設したものに横方向の鉄筋を配筋して固定し、所定の位置に配設した後、鉄筋組体の、両端をカギ状とした使い捨て型枠パネルの取り付け支持金具に対設するように、フック等の取り付け金具を備えた使い捨て型枠パネルを、前記の鉄筋組体に取り付けて強固に一体化させたコンクリート構築体の鉄筋組体及び使い捨て型枠及びその組立方法にある。
【０００７】
【実施例】つぎに本発明に関するコンクリート構築体の鉄筋組体及び使い捨て型枠及びその組立方法の実施の一例を図面に基づいて説明する。
【０００８】図１，２，３は成形されるコンクリート構築体の厚さと大きさに見合う強度に基づいて配筋した鉄筋組体に、両端をカギ状とした支持金具３を予め任意の間隔に固定した鉄筋組体Ａである。鉄筋組体Ａを任意の間隔に配設し、横方向の鉄筋７を配筋固定し所定の位置に配設した後、前記支持金具３に対設するように、フック等の取り付け金具を備えた使い捨て型枠パネル５を支持金具３に取り付けて強固に一体化させ生コンクリートを充填してコンクリート構築体を形成させる。
【０００９】このコンクリート構築体形成の為の鉄筋組体Ａ及び使い捨て型枠パネル５は土木、建設業界において種々のコンクリートによる構成材、一例を挙げるとすれば建造物の基礎や柱、梁、壁、スラブ、屋根材、側壁、或は貯水、貯油槽、地下室、水路、狭量、防波堤、煙突等様々な者に採用されるもので、その形状は断面形状が、丸、楕円、角、他異形等で筒状、方形状成は曲面型、コーナー角型等の任意のものが形成できるもので鉄筋組体Ａに横方向へ配置筋した鉄筋７とフック等の取り付け金具６を備えた使い捨て型枠パネル５とにより構成される。
【００１０】そして、前記した鉄筋組体Ａは成形されるコンクリート構築体の形状に見合う大きさと強度にに基づき所定の太さや、長さによる丸鋼、異形鉄筋等を配筋したものに使い捨て型枠パネル５を固定支持する支持金具３を取り付けてあるもので、事前の設計に基づいて工場においてその作業を行う。
【００１１】前記したフック等の取り付け金具を備えた便い捨てパネル５は所定の強度のワイヤーメッシュ、ラスメタル、その他金網等或は鉄筋を桝目状にくんだものにフック等の取り付け金具を任意の数量取り付け必要強度を満たすこともあるものでコンクリート、或は樹脂コンクリートやセラミックその他の混練材料等を上部を開放した型枠パネル製造用の型枠により必要とされる強度、暑さに工場において製造される。
【００１２】鉄筋組体Ａを任意の間隔に配設し、横方向に配筋した鉄筋７を取り付け固定し、使い捨て型枠パネル５を取り付け、固定して生コンクリートを打設してコンクリート構築体を形成させる。
【００１３】図８は、鉄筋組体Ａに使い捨て型枠パネル５を取り付けた状態を示すものである。
【００１４】更に、図４，５，６，９に示すように、前記した両端をカギ状とした支持筋３に代わり、現在一般的に型枠工事のパネル固定用の支持金具４を工場において予め取り付けることにより、現場における作業の軽減と施工精度の工場が図れるものである。
【００１４】そして、図１０，１１，１２は、使い捨て型枠パネル５側に端部をカギ状とした支持金具１０を備えさせたものを、鉄筋組体Ｃの横筋に取り付け固定して使い捨て型枠パネル５を鉄筋組体Ｃと一体化させ、生コンクリートを打設してコンクリート構築体を形成させる。
【００１５】なお、前記した使い捨て型枠パネル５の成形時に、希望する外装化粧材、例えば、タイル、カラー建材、ステンレス等の金属成形板、合成樹脂成形板、セラミックス成形板等を敷設しておき、生コンクリート等の充填に伴って、使い捨て型枠パネル５と一体化させて成形させることもあり、将来外装工事としてモルタル等でタイル張りの工事を行う必要がなく、また、モルタルの劣化によるタイルの脱落事故のおそれも解消される。
【００１６】
【発明の効果】前述のように本発明に関するコンクリート構築体の鉄筋組体及び使い捨て型枠パネル５及びその組立方法は、出来上がり精度と品質の高い構築体を一般の作業者により行うことができるもので、しかも、簡単な作業行程により行うことができるもので迅速、且つ安価に成形させることができる。
【００１７】また、使い捨て型枠パネル５を使用すればコンクリート構築体の構築後、現場において埋め戻し工事もコンクリートの固化を待つことなく行えるので施工日数が大巾に短縮できる。
【００１８】外装化粧材の取り付けが使い捨て型枠パネル５の成形と同時に行われるので工事の省力化が図れる等の格別な効果を奏するものである。
【図面の簡単な説明】
【図１，２，３】本発明に関するコンクリート構築体に用いる使い捨て型枠パネル５を取り付けるための支持金具３を設けた鉄筋組体Ａの斜視図である。
【図４，５，６】再使用型の型枠パネルを取り付けるための支持金具４を設けた鉄筋組体Ｂの斜視図である。
【図７】フック等の取り付け金具を備えた使い捨て型枠パネル５の斜視図である。
【図８】鉄筋組体Ａに横方向の鉄筋を配筋し使い捨て型枠パネル５を取り付けた側部断面図である。
【図９】鉄筋組体Ｂに横方向の鉄筋を配筋し再使用型の型枠パネル１２を取り付けた側部断面図である。
【図１０】鉄筋組体Ｃに横方向の鉄筋を配筋した側部断面図である。
【図１１】カギ状等の支持金具１０を備えた使い捨て型枠パネル５の斜視図である。
【図１２】鉄筋組体Ｃに横方向の鉄筋７を配筋したものにカギ状等の支持金具１０を備えた使い捨て型枠パネル５を取り付けた側面部断面図である。
【符号の説明】
Ａ  使い捨て型枠パネル取り付け支持金具付きの鉄筋組体
Ｂ  再使用型の型枠パネル取り付け支持金具付き鉄筋組体
Ｃ  カギ状等の支持金具付き使い捨て型枠パネル取り付け用の鉄筋組体
１  鉄筋
２  トラス筋
３  使い捨て型枠パネル取り付け支持金具
４  再使用型の型枠パネル取り付け支持金具
５  使い捨て型枠パネル
６  フック等の取り付け金具
７  横方向に配筋した鉄筋
８  再使用型の型枠パネル取り付け補強材固定金具
９  補強材
１１カギ状等の支持金具
【図１】
2004332500.tif 000003
【図２】
2004332500.tif 000004
【図３】
2004332500.tif 000005
【図４】
2004332500.tif 000006
【図５】
2004332500.tif 000007
【図６】
2004332500.tif 000008
【図７】
2004332500.tif 000009
【図８】
2004332500.tif 000010
【図９】
2004332500.tif 000011
【図１０】
2004332500.tif 000012
【図１１】
2004332500.tif 000013
【図１２】
2004332500.tif 000014